(57)【要約】【課題】摩擦等で感温隠蔽層を暖め、そして可視情報を目視することができる、感温隠蔽層付きカードを提供する。【解決手段】コア基材層６、レーザー発色層４、透明保護層２及び感温隠蔽層８をこの順で具備しており、感温隠蔽層８が、第１の温度範囲においては有色状態であり、第１の温度範囲より高い第２の温度範囲においては無色状態であり、感温隠蔽層８を、第１の温度範囲内の温度と第２の温度範囲内の温度との間で温度変化させることにより、レーザー発色層４によって示される可視情報４ａを隠蔽及び表示するようにして、感温隠蔽層８を有色状態と無色状態との間で可逆的に変化させることができる、感温隠蔽層付きカード。【選択図】図１
2017185680.tif 000002
【特許請求の範囲】
【請求項１】
コア基材層、レーザー発色層、透明保護層及び感温隠蔽層をこの順で具備しており、
前記感温隠蔽層が、第１の温度範囲においては有色状態であり、前記第１の温度範囲より高い第２の温度範囲においては無色状態であり、
前記感温隠蔽層を、前記第１の温度範囲内の温度と前記第２の温度範囲内の温度との間で温度変化させることにより、前記レーザー発色層によって示される可視情報を隠蔽及び表示するようにして、前記感温隠蔽層を前記有色状態と前記無色状態との間で可逆的に変化させることができる、
感温隠蔽層付きカード。
【請求項２】
前記第１の温度範囲が、少なくとも１５℃を含む、請求項１に記載の感温隠蔽層付きカード。
【請求項３】
前記第２の温度範囲が、少なくとも４０℃を含む、請求項１又は２に記載の感温隠蔽層付きカード
【請求項４】
前記透明保護層の熱伝導率が、０．３Ｗ／ｍ・Ｋ以下である、請求項１〜３のいずれか一項に記載の感温隠蔽層付きカード。
【請求項５】
本体部及び分離部を有し、
前記本体部が、前記レーザー発色層によって示される可視情報を有し、
前記本体部及び前記分離部をそれぞれ手で保持して折り曲げることにより、又は前記本体部と前記分離部との間の境界を手でせん断させることにより、前記分離部を前記本体部から分離可能である、請求項１〜４のいずれか一項に記載の感温隠蔽層付きカード。
【請求項６】
台紙、及び
前記台紙に固定されている、請求項１〜５のいずれか一項に記載の感温隠蔽層付きカード
を有する、台紙付き感温隠蔽層付きカード。
【請求項７】
感温隠蔽層付きカードの発行方法であって、
コア基材層、レーザー発色層及び透明保護層をこの順で有している積層体の、前記レーザー発色層に、前記透明保護層を通してレーザーを照射することにより、前記レーザー発色層を発色させ、前記感温隠蔽層付きカードごとに固有の可視情報が印刷されるようにすること、並びに
前記可視情報が隠蔽されるように、前記透明保護層に、感温隠蔽層を積層させること
を含み、
前記感温隠蔽層が、少なくとも第１の温度範囲においては有色状態であり、少なくとも前記第１の温度範囲より高い第２の温度範囲においては無色状態であり、
前記第１の温度範囲の上限の温度が、前記第２の温度範囲の下限の温度よりも高い温度であり、かつ
前記感温隠蔽層を、前記第１の温度範囲内の温度と前記第２の温度範囲内の温度との間で温度変化させることにより、前記レーザー発色層によって示される可視情報を隠蔽及び表示するようにして、前記有色状態と前記無色状態との間で可逆的に変化することができる、
感温隠蔽層付きカードの発行方法。
【発明の詳細な説明】
【技術分野】
【０００１】
本発明は、感温隠蔽層付きカードに関する。
【背景技術】
【０００２】
近年、セキュリティコード等の可視情報を有するプリペイドカードが広く用いられている。
【０００３】
例えば、このカードがプリペイドカードである場合、この可視情報は、流通時においてはスクラッチ隠蔽層により隠蔽されており、このスクラッチ隠蔽層を剥離することにより、この可視情報をスキャナで読み取ったり目視したりすることができる。この可視情報は、各プリペイドカードに固有の情報であり、この可視情報をスキャナで読み取ること又はウェブサイト等で入力することにより、この可視情報に紐づけられた金額を使用することができる。
【０００４】
なお、特許文献１では、温度によって色相が変化する可逆性感熱変色層を有するカードが開示されている。これによれば、意匠性に富んだ、また、偽造防止効果の高いカードを得ることができるとしている。
【先行技術文献】
【特許文献】
【０００５】
【特許文献１】特開２０１２−１０１５０６号公報
【発明の概要】
【発明が解決しようとする課題】
【０００６】
プリペイドカードの中には、可視情報に紐づけられた金額を複数回に分けて用いることを想定しているものも存在する。このようなプリペイドカードの場合、可視情報を使用しない時には隠蔽でき、かつ使用する時には表示できることが望ましい。しかしながら、スクラッチ隠蔽層を剥離して可視情報を使用した場合、これを再び隠蔽することはできないため、可視情報に対するセキュリティ性が損なわれる。
【課題を解決するための手段】
【０００７】
本発明者らは、鋭意検討したところ、以下の手段により上記課題を解決できることを見出して、本発明を完成させた。すなわち、本発明は、下記のとおりである：
〈１〉  コア基材層、レーザー発色層、透明保護層及び感温隠蔽層をこの順で具備しており、
上記感温隠蔽層が、第１の温度範囲においては有色状態であり、上記第１の温度範囲より高い第２の温度範囲においては無色状態であり、
上記感温隠蔽層を、上記第１の温度範囲内の温度と上記第２の温度範囲内の温度との間で温度変化させることにより、上記レーザー発色層によって示される可視情報を隠蔽及び表示するようにして、上記感温隠蔽層を上記有色状態と上記無色状態との間で可逆的に変化させることができる、
感温隠蔽層付きカード。
〈２〉  上記第１の温度範囲が、少なくとも１５℃を含む、上記〈１〉項に記載の感温隠蔽層付きカード。
〈３〉  上記第２の温度範囲が、少なくとも４０℃を含む、上記〈１〉又は〈２〉項に記載の感温隠蔽層付きカード。
〈４〉  上記透明保護層の熱伝導率が、０．３Ｗ／ｍ・Ｋ以下である、上記〈１〉〜〈３〉項のいずれか一項に記載の感温隠蔽層付きカード。
〈５〉  本体部及び分離部を有し、
上記本体部が、上記レーザー発色層によって示される可視情報を有し、
上記本体部及び上記分離部をそれぞれ手で保持して折り曲げることにより、又は上記本体部と上記分離部との間の境界を手でせん断させることにより、上記分離部を上記本体部から分離可能である、上記〈１〉〜〈４〉項のいずれか一項に記載の感温隠蔽層付きカード。
〈６〉  台紙、及び
上記台紙に固定されている、上記〈１〉〜〈５〉項のいずれか一項に記載の感温隠蔽層付きカード
を有する、台紙付き感温隠蔽層付きカード。
〈７〉  感温隠蔽層付きカードの発行方法であって、
コア基材層、レーザー発色層及び透明保護層をこの順で有している積層体の、上記レーザー発色層に、上記透明保護層を通してレーザーを照射することにより、上記レーザー発色層を発色させ、上記感温隠蔽層付きカードごとに固有の可視情報が印刷されるようにすること、並びに
上記可視情報が隠蔽されるように、上記透明保護層に、感温隠蔽層を積層させること
を含み、
上記感温隠蔽層が、少なくとも第１の温度範囲においては有色状態であり、少なくとも上記第１の温度範囲より高い第２の温度範囲においては無色状態であり、
上記第１の温度範囲の上限の温度が、上記第２の温度範囲の下限の温度よりも高い温度であり、かつ
上記感温隠蔽層を、上記第１の温度範囲内の温度と上記第２の温度範囲内の温度との間で温度変化させることにより、上記レーザー発色層によって示される可視情報を隠蔽及び表示するようにして、上記有色状態と上記無色状態との間で可逆的に変化することができる、
感温隠蔽層付きカードの発行方法。
【発明の効果】
【０００８】
本発明によれば、摩擦等で感温隠蔽層を暖め、そして可視情報を目視することができる、感温隠蔽層付きカードを提供することができる。
【図面の簡単な説明】
【０００９】
【図１】図１は、本発明の感温隠蔽層付きカードの正面図及び側面断面図である。
【図２】図２は、感温隠蔽層の、温度変化に伴う有色状態と無色状態との間の変化の一例を示す図である。
【図３】図３は、本発明の感温隠蔽層付きカードの使用方法を示す図である。
【図４】図４は、本発明の感温隠蔽層付きカードの製造方法を示す図である。
【発明を実施するための形態】
【００１０】
《感温隠蔽層付きカード》
図１に示すように、本発明の感温隠蔽層付きカード（１００）は、コア基材層（６）、レーザー発色層（４）、透明保護層（２）及び感温隠蔽層（８）をこの順で具備している。このレーザー発色層には、可視情報（４ａ）が存在している。
【００１１】
この感温隠蔽層は、第１の温度範囲においては有色状態であり、第１の温度範囲より高い第２の温度範囲においては無色状態である。ここで、「第１の温度範囲より高い第２の温度範囲」とは、第１の温度範囲と第２の温度範囲とが重複している範囲を有さず、かつ第１の温度範囲の上限の温度が、第２の温度範囲の下限の温度よりも低い温度であることを意味する。
【００１２】
可視情報上に透明保護層を積層させることにより、摩擦等により感温隠蔽層を加熱して可視情報を参照しようとした場合に、可視情報が剥離し、その結果可視情報が使用できなくなることを防止することができる。すなわち、本発明によれば、可視情報を破損させることなく、摩擦等で感温隠蔽層を暖め、そして可視情報を目視することができる、感温隠蔽層付きカードを提供することができる。
【００１３】
図２は、感温隠蔽層の色の濃度と温度との関係の一例を示す図である。この例においては、温度Ｔａのときには感温隠蔽層が発色状態であり、感温隠蔽層の温度を上昇させると、色の濃度が低減してゆき、温度がＴｂのときには感温隠蔽層が消色状態となる。この例においては、第１の温度範囲は、Ｔ１以下の温度であり、第２の温度範囲は、Ｔ２以上の温度である。
【００１４】
感温隠蔽層を、第１の温度範囲内の温度と第２の温度範囲内の温度との間で温度変化させることにより、レーザー発色層によって示される可視情報を隠蔽及び表示するようにして、感温隠蔽層を有色状態と無色状態との間で可逆的に変化することができる。
【００１５】
より具体的には、図３（ａ）に示す感温隠蔽層付きカード（１００）の感温隠蔽層を、第１の温度範囲内の温度から第２の温度範囲内の温度へと温度変化させると、図３（ｂ）に示すように、感温隠蔽層が消色状態となり、レーザー発色層によって示される可視情報（４ａ）が表示される。
【００１６】
この状態の感温隠蔽層付きカードを、第２の温度範囲内の温度から第１の温度範囲内の温度へと温度変化させることにより、図３（ｃ）に示すように、感温隠蔽層が発色状態となり、その結果レーザー発色層によって示される可視情報が隠蔽される。
【００１７】
本発明の一実施態様においては、図１（ａ）及び（ｂ）に示すように、感温隠蔽層付きカードは、本体部（１０）及び分離部（２０）を有する。本体部（１０）及び分離部（２０）をそれぞれ手で保持して折り曲げることにより、又は本体部（１０）と分離部（２０）との間の境界を手でせん断させることにより、分離部（２０）を本体部（１０）から分離可能である。
【００１８】
この態様によれば、例えば図３（ｂ）に示すように可視情報（４ｂ）を表示させ、そして可視情報に基づく残高の一部を使用した後に、図３（ｄ）に示すように、分離部（２０）を本体部（１０）から分離させることにより、感温隠蔽層付きカードが未使用であるか否かを示すことができる。
【００１９】
以下では、本発明の各構成要素について説明する。
【００２０】
〈コア基材層〉
本発明の感温隠蔽層付きカードで用いられるコア基材層としては、本分野で通常用いられるコア基材層を用いることができる。
【００２１】
コア基材層は、熱可塑性樹脂を含み、例えばポリエチレン、ポリプロピレン等のポリオレフィン系樹脂、ポリスチレン系樹脂、ポリ塩化ビニル系樹脂、ポリ（メタ）アクリレート系樹脂、アクリル系樹脂、ポリアセタール樹脂、ポリエチレンテレフタレート（ＰＥＴ、ＰＥＴ−Ｇ）、ポリブチレンテレフタレート等のポリエステル樹脂、ポリアミド樹脂、ポリカーボネート樹脂、ポリフェニレンサルファイド樹脂、ポリイミド樹脂等の公知の熱可塑性樹脂が使用できる。
【００２２】
例えば、コア基材層の厚みとしては、３０μｍ以上、５０μｍ以上、又は１００μｍ以上であってもよく、また８００μｍ以下、７００μｍ以下、又は６００μｍ以下であってもよい。
【００２３】
〈レーザー発色層〉
レーザー発色層としては、熱可塑性樹脂及び発色剤を含有することができ、さらにレーザー光線を吸収するためのエネルギー吸収体を含有していてもよい。ここで、エネルギー吸収体は、発色剤であってもよく、発色剤はエネルギー吸収体であってもよい。
【００２４】
熱可塑性樹脂としては、例えばポリエチレン、ポリプロピレン等のポリオレフィン系樹脂、ポリスチレン系樹脂、ポリ塩化ビニル系樹脂、ポリ（メタ）アクリレート系樹脂、アクリル系樹脂、ポリアセタール樹脂、ポリエチレンテレフタレート（ＰＥＴ、ＰＥＴ−Ｇ）、ポリブチレンテレフタレート等のポリエステル樹脂、ポリアミド樹脂、ポリカーボネート樹脂、ポリフェニレンサルファイド樹脂、ポリイミド樹脂等の公知の熱可塑性樹脂が使用できる。この中でも特に、ポリエステル樹脂が好ましく、ＰＥＴ−Ｇがさらに好ましい。
【００２５】
発色剤としては、無機顔料、有機顔料、染料を用いることができ。無機顔料としては、酸化チタン、亜鉛華、炭酸カルシウム、タルク、硫酸バリウム、リトポン、鉛白、黄鉛、チタンイエロー、ジンクイエロー、ベンガラ、鉛丹、群青、酸化クロム、コバルトブルー、コバルトバイオレット、酸化鉄、鉄黒、カーボンブラック、チタンブラック等が挙げられる。また、有機顔料としては、不溶性アゾ系、溶性アゾレーキ系、染色レーキ系、スレン系、ニトロソ系、フタロシアニン系、ジオキサジン系等が挙げられる。さらに、染料としては、アゾ系、アンスラキノン系、スレン系、インジゴイド系、キノンイミン系、油溶性系、蛍光染料等が挙げられる。
【００２６】
例えば、発色剤の含有量としては、熱可塑性樹脂１００重量部に対し、０．５重量部以上、１．０重量部以上、又は３重量部以上であってもよく、１０重量部以下、８重量部以下、又は５重量部以下であってもよい。
【００２７】
エネルギー吸収体としては、カーボンブラック、金属酸化物、金属硫化物、炭酸塩および金属ケイ酸塩の群から選ばれた少なくとも１種が挙げられる。金属酸化物としては、酸化亜鉛、酸化マグネシウム、アルミナ、酸化鉄、鉄黒、酸化チタン、酸化珪素、三酸化アンチモン等が挙げられる。また、金属硫化物としては、硫化亜鉛、硫化カドミニウム等が挙げられる。さらに、炭酸塩としては、炭酸カルシウム等が挙げられ、また金属ケイ酸塩としては、ケイ酸アルミナ、鉄を含むケイ酸アルミナ（マイカ）、含水ケイ酸アルミナ（カオリン）、ケイ酸マグネシウム（タルク）、ケイ酸カルシウム、ケイ酸マグネシウム等が挙げられる。
【００２８】
例えば、エネルギー吸収体の含有量としては、熱可塑性樹脂１００重量部に対し、０．００１重量部以上、０．００５重量部以上、又は０．０１重量部以上であってもよく、３重量部以下、１重量部以下、又は０．５重量部以下であってもよい。
【００２９】
レーザー発色層を発色させるためのレーザーとしては、特に限定されないが、例えば炭酸ガスレーザー、ルビーレーザー、半導体レーザー、アルゴンレーザー、エキシマレーザー、ＹＡＧレーザー、ＹＶＯ４レーザー等がいずれも可能である。この中でも特に、ＹＶＯ４レーザーが好ましい。
【００３０】
レーザー発色層の厚みとしては、例えば１０μｍ以上、２０μｍ以上、又は４０μｍ以上とすることができ、２００μｍ以下、１００μｍ以下、又は８０μｍ以下であってもよい。
【００３１】
｛可視情報｝
可視情報は、レーザー発色層によって示される可視情報である。この可視情報は、レーザー発色層にレーザーを照射させて、レーザー発色層を発色させることにより、形成することができる。
【００３２】
可視情報としては、例えば識別コード、文字、図形、及びこれらの組合せ等が挙げられる。この識別コードとしては、例えば１次元コード及び２次元コードが挙げられる。さらに１次元コードとしては、例えばＣＯＤＥ３９、ＣＯＤＥ１２８、ＪＡＮ、ＩＴＦ等のバーコードが挙げられ、２次元コードとしては、例えばＱＲコード(登録商標)、ＰＤＦ４１７、データマトリックス、ＣＰコード、ＭａｘｉＣｏｄｅ等が挙げられる。また、文字としては、目視可能である平仮名、片仮名、漢字、数字、アルファベット、記号及びこれらの組合せ等が挙げられる。図形としては、例えば円、楕円、多角形、角丸多角形等が挙げられる。
【００３３】
〈透明保護層〉
透明保護層としては、透明樹脂、例えばポリカーボネート、ポリスチレン、ポリメタクリル酸メチル、ポリスルホン、ポリエーテルエーテルケトン、ポリブチレンテレフタレート、ＰＥＴ−Ｇ等を用いることができる。
【００３４】
透明保護層の厚みとしては、例えば１０μｍ以上、２０μｍ以上、又は４０μｍ以上とすることができ、２００μｍ以下、１００μｍ以下、又は８０μｍ以下であってもよい。
【００３５】
外的環境による温度の上昇を抑制し、それによって感温隠蔽層の自発的な変色を防止する観点から、透明保護層の熱伝導率は、０．３Ｗ／ｍ・Ｋ以下であることが好ましい。この熱伝導率は、０．３０Ｗ／ｍ・Ｋ以下、０．２８Ｗ／ｍ・Ｋ以下、又は０．２５Ｗ／ｍ・Ｋ以下であることができ、また０．０５Ｗ／ｍ・Ｋ以上、０．０８Ｗ／ｍ・Ｋ以上、又は０．１０Ｗ／ｍ・Ｋ以上であることができる。
【００３６】
〈感温隠蔽層〉
感温隠蔽層は、温度によって色相が変わる物質からなる層、又はそれを含む層である。
【００３７】
特に、本発明の感温隠蔽層は、第１の温度範囲においては有色状態であり、第１の温度範囲より高い第２の温度範囲においては無色状態である。
【００３８】
感温隠蔽層を、第１の温度範囲内の温度と第２の温度範囲内の温度との間で温度変化させることにより、レーザー発色層によって示される可視情報を隠蔽及び表示するようにして、感温隠蔽層を有色状態と無色状態との間で可逆的に変化させることができる。
【００３９】
第１の温度範囲は、少なくとも１５℃を含んでいること、すなわち１５℃においては常に有色状態であることが、外的環境にかかわらず可視情報を隠蔽する観点から好ましい。
【００４０】
第２の温度範囲は、少なくとも４０℃を含んでいること、すなわち４０℃においては常に無色状態であることが、使用時に容易に可視情報を表示させる観点から好ましい。
【００４１】
感温隠蔽層としては、例えば、「示温インキ」、「感温インキ」、「感熱インキ」等の呼称で市販されている公知の製品を用いてもよい。
【００４２】
より具体的には、感温隠蔽層、例えばロイコ染料系インキ、液晶系インキ、無機化合物系インキ等のインキで構成されていてよい。
【００４３】
ロイコ染料系インキとしては、ロイコ染料、顕減色剤、及び溶媒の混合物を使用しインキ化したものが挙げられる。
【００４４】
ロイコ染料としては、クリスタルバイオレットラクトン、３−インドリノ−３−ｐ−ジメチルアミノフェニル−６−ジメチルアミノフタリド、３−ジエチルアミノ−７−クロロフルオラン、２−（２−クロルフェニルアミン）−ジエチルアミノフルオラン、２−（２−フルオロフェニルアミノ）−６−ジエチルアミノフルオ）ラン、２−（２−フルオロフェニルアミノ）−６−ジ−ｎ−ブチルアミノフルオラン、３−ジエチルアミノ−７−シクロヘキシルアミノフルオラン、３−ジエチルアミノ−５−メチル−７−ｔ−ブチルフルオラン、３−ジエチルアミノ−６−メチル−７−アニリノフルオラン、３−ジエチルアミノ−６−メチル−７−ｐ−ブチルアニリノフルオラン、３−シクロヘキシルアミノ−６−クロロフルオラン、２−アニリノ−３−メチル−６−（Ｎ−エチル−ｐ−トルイジノ）−フルオラン、３−ピロリジノ−６−メチル−７−アニリノフルオラン、３−ピロリジノ−７−シクロヘキシルアミノフルオラン、３−Ｎ−メチルシクロヘキシルアミノ−６−メチル−７−アニリノフルオラン、３−Ｎ−エチルペンチルアミノ−６−メチル−７−アニリノフルオラン等が挙げられる。
【００４５】
顕減色剤としては、（Ｎ−（ｐ−ヒドロキシフェニル）−Ｎ’−ｎ−オクタデシルチオ尿素、Ｎ−（ｐ−ヒドロキシフェニル）−Ｎ’−ｎ−オクタデシル尿素、Ｎ−（ｐ−ヒドロキシフェニル）−Ｎ’−ｎ−オクタデシルチオアミド、４’−オクタデカンアニリド、２−オクタデシルテレフタル酸、Ｎ−オクタデシル（ｐ−ヒドロキシフェニル）アミド、Ｎ−（ｐ−ヒドロキシベンゾイル）−Ｎ−オクタデカノイルアミン、Ｎ−［３−（ｐ−ヒドロキシフェニル）プロピオノ］−Ｎ’−オクタデカノヒドテジド、Ｎ−［（ｐ−ヒドロキシフェニル）メチル］−ｎ−オクタデシルアミド、Ｎ−［（ｐ−ヒドロキシフェニル）メチル］−ｎ−オクタデシル尿素、Ｎ−［（ｐ−ヒドロキシフェニル）メチル］−Ｎ’−ｎ−オクタデシルオキサミド)等が挙げられる。
【００４６】
液晶系インキとしては、例えばコレストリック型液晶をマイクロカプセルの殻に閉じ込め、それを顔料として使用しインキ化したものが挙げられる。コレストリック型液晶は、コレステロールの誘導体で構成されていてよい。
【００４７】
無機化合物系インキとしては、例えばＨｇ、Ａｇ、Ｃｕ、Ｐｂ等の重金属のヨウ化物、又はそれらの錯塩を顔料として使用しインキ化したものが挙げられる。
【００４８】
また、感温隠蔽層としては、特開昭６０−２６４２８５に開示されているような温度によって色相が変わる公知の物質を用いてもよい。
【００４９】
外部からの光の照射による温度の上昇を抑制し、それによって感温隠蔽層の自発的な変色を防止する観点から、感温隠蔽層は、有色状態において、白系の色であることが好ましい。
【００５０】
より具体的には、感温隠蔽層が、有色状態において、ＪＩＳ  Ｚ  ８７８１に準拠するＬ＊ａ＊ｂ＊表色系に関して、明度Ｌ＊が８０以上であり、かつ彩度Ｃ＊が２０以下であることが好ましい。明度Ｌ＊は、８０以上、８２以上、又は８５以上であることができ、また１００以下、９８以下、又は９５以下であることができる。彩度Ｃ＊は、０以上、２以上、又は５以上であることができ、また２０以下、１８以下、又は１５以下であることができる。
【００５１】
ここで、彩度Ｃ＊は、ａ＊値及びｂ＊値を用いて、以下の式により算出することができる。
【００５２】
【数１】
2017185680.tif 000003
【００５３】
〈他の層〉
感温隠蔽層付きカードは、随意の他の層を有していてもよい。他の層としては、例えば接着層が挙げられる。接着層としては、例えば、ドライラミネート接着剤、押出ラミネート接着剤、アンカーコート接着剤、ホットメルト接着剤、水溶性接着剤、エマルション接着剤等が挙げられる。
【００５４】
〈本体部〉
本発明の感温隠蔽層付きカードが本体部と分離部を有する場合における本体部は、感温隠蔽層付きカードのうちの上記のレーザー発色層によって示される可視情報を有する部分である。
【００５５】
〈分離部〉
本発明の感温隠蔽層付きカードが本体部と分離部を有する場合における分離部は、本体部から分離可能な部分、すなわち感温隠蔽層付きカードの一部を言うものである。
【００５６】
分離部は、コア基材層を少なくとも具備している。このコア基材層は、本体部と同一のコア基材層であることができる。
【００５７】
分離部の表面には、凹凸加工がされていてもよい。これにより、触覚によってこの一部を識別することができる。
【００５８】
また、この分離部の表面には、誤って飲み込むことを防止するための味覚成分（誤飲防止剤）が存在していてもよい。味覚成分としては、例えば安息香酸デナトニウム、オクタアセチルスクロース、タンニン、カテキン、モモルデシン等の苦み成分、又は硫化アリル、アリルイソチオシアネート、カプサイシン等の辛み成分、クエン酸、フマル酸ナトリウム、リンゴ酸、アジピン酸等の酸味成分等が挙げられる。
【００５９】
分離部は、例えば感温隠蔽層付きカードの透明保護層側及び／又はコア基材層側から厚さ方向の切り込みを入れることにより画定することができる。この切り込みは、レーザーカットにて、ハーフカットやミシン目を形成することによって形成することができる。また、この画定は、可視情報を印字する前に行ってもよく、又は感温隠蔽層形成後に行ってもよい。
【００６０】
《台紙付き感温隠蔽層付きカード》
本発明の台紙付き感温隠蔽層付きカードは、台紙、及び台紙に固定されている、上記の感温隠蔽層付きカードを有する。本発明の感温隠蔽層付きカードを台紙とともに用いることにより、感温隠蔽層付きカードを陳列しやすくすること、及び／又は感温隠蔽層付きカードを人の目に留まりやすくすることができる。
【００６１】
感温隠蔽層付きカードの台紙への固定は、限定されないが、例えば感温隠蔽層付きカードを台紙に粘着させることにより行ってもよく、又は台紙が差込口を有する場合にはこの差込口に感温隠蔽層付きカードを差し込むことにより行ってもよい。この場合、台紙は、感温隠蔽層付きカードの感温隠蔽層に接していてもよく、又はコア基材層に接していてもよい。
【００６２】
〈台紙〉
台紙としては、例えば上質紙、中質紙、コート紙、アイボリー紙、両面カード紙、マニラボール紙、白ボール等を用いることができる。
【００６３】
台紙は、絵柄、文字、記号、図形、キャラクター、背景色、濃淡等のパターンを有していてもよい。
【００６４】
《感温隠蔽層付きカードの発行方法》
感温隠蔽層付きカードを発行する本発明の方法は、コア基材層、レーザー発色層及び透明保護層をこの順で有する積層体の、レーザー発色層に、透明保護層を通してレーザーを照射することにより、レーザー発色層を発色させ、感温隠蔽層付きカードごとに固有の可視情報を印刷されるようにすること、並びに可視情報が隠蔽されるように、透明保護層に、感温隠蔽層を積層させることを含む。
【００６５】
ここで、上記の積層体は、カードの形状に打ち抜かれた複数の生カードの形態であってもよく、又はカードの形状に打ち抜く前のカード原反の形態であってもよい。
【００６６】
〈レーザー発色層の発色〉
まず、図４（ａ）に示すような、コア基材層（６）、レーザー発色層（４）及び透明保護層（２）をこの順で有する積層体のレーザー発色層（４）に、図４（ｂ）に示すように、透明保護層（２）を通してレーザー（３０）を照射することにより、図４（ｃ）に示すように、レーザー発色層（４）を発色させる。これにより、レーザー発色層（４）に、感温隠蔽層付きカードごとに固有の可視情報（４ａ）を印刷する。ここで、「カードごとに固有の」可視情報とは、カードごとに異なる可視情報、すなわちカードごとにバリアブルな可視情報を意味するものである。
【００６７】
〈感温隠蔽層の積層〉
次いで、図４（ｄ）に示すように、可視情報（４ａ）が隠蔽されるように、透明保護層（２）に、感温隠蔽層（８）を積層させる。この積層は、例えばシルク印刷、オフセット印刷、グラビア印刷等のアナログ印刷方法、電子写真印刷方式等のデジタル印刷方法、ロールコート、ロッドコート、キスコート、ナイフコート、エアーナイフコート、ダイコート、リップコート、フローコート、ディップコート、スピンコート、スプレーコート等のコーティング方法等により行うことができる。
【００６８】
〈分離部の画定〉
感温隠蔽層付きカードを製造する本発明の方法は、図４（ｅ）に示すように、感温隠蔽層付きカード（１００）の本体部（１０）及び分離部（２０）を画定することを含んでもよい。
【００６９】
この画定は、例えば感温隠蔽層付きカード（１００）の表面保護層（２）側及び／又はコア基材層（６）側から厚さ方向の切り込みを入れることにより行うことができる。この切り込みは、レーザーカットにて、ハーフカットやミシン目を形成することによって形成することができる。
【００７０】
この画定は、図４（ｅ）に示すように、感温隠蔽層（８）の積層後に行ってもよく、又は、図示しないが、可視情報を印刷する前、すなわち積層体の状態で行われていてもよい。
【００７１】
〈他の工程〉
感温隠蔽層付きカードを製造する本発明の方法は、随意の他の工程を含んでもよい。例えば、積層体がカードの形状に打ち抜く前のカード原反の形態である場合、本発明の方法は、積層体をカードの形状に打ち抜くことを含んでいてもよい。この打ち抜きは、感温隠蔽層の積層後に行ってもよく、又は、可視情報を印刷する前に行ってもよい。
【符号の説明】
【００７２】
２    透明保護層
４    レーザー発色層
４ａ    印刷層
６    コア基材層
８    感温隠蔽層
１０    本体部
２０    分離部
３０    レーザー
１００    感温隠蔽層付きカード
【図１】
2017185680.tif 000004
【図２】
2017185680.tif 000005
【図３】
2017185680.tif 000006
【図４】
2017185680.tif 000007